(57)【要約】【課題】カードリーダの内部にスキミング用装置が取り付けられたことを検知することが可能なカードリーダを提供する。【解決手段】カードリーダ１は、カード２が通過するカード通過路６と、カード通過路６を閉鎖するためのシャッタ部材１１と、シャッタ部材１１よりも奥側に配置される磁気ヘッド７と、シャッタ部材１１よりも奥側に配置される静電容量センサ１２と、カード通過路６のＺ２方向側の面の少なくとも一部を構成する第１ガイド部材１５と、カード通過路６のＺ１方向側の面の少なくとも一部を構成する第２ガイド部材１６とを備えている。第１ガイド部材１５は、絶縁性材料で形成され、第２ガイド部材１６は、導電性材料で形成されており、静電容量センサ１２は、第１ガイド部材１５に取り付けられている。【選択図】図１
2017219971.tif 000002
【特許請求の範囲】
【請求項１】
カードの挿入口から挿入された前記カードが通過するカード通過路と、前記カード通過路を閉鎖するためのシャッタ部材と、前記シャッタ部材よりも奥側に配置され前記カードの磁気ストライプに記録された磁気データの読取および前記磁気ストライプへの磁気データの記録の少なくともいずれか一方を行う磁気ヘッドと、前記シャッタ部材よりも奥側に配置される静電容量センサとを備えるとともに、
前記カード通過路を通過する前記カードの厚さ方向の一方を第１方向とし、第１方向の反対方向を第２方向とすると、前記カード通過路の第１方向側の面の少なくとも一部を構成する第１ガイド部材と、前記カード通過路の第２方向側の面の少なくとも一部を構成する第２ガイド部材とを備え、
前記第１ガイド部材は、絶縁性材料で形成され、
前記第２ガイド部材は、導電性材料で形成され、
前記静電容量センサは、前記第１ガイド部材に取り付けられていることを特徴とするカードリーダ。
【請求項２】
前記カードに形成されるＩＣチップの外部接続端子に接触してデータの通信を行う複数のＩＣ接点バネを有するＩＣ接点ブロックと、前記ＩＣ接点ブロックを移動させるブロック移動機構とを備え、
前記ブロック移動機構は、前記第２ガイド部材の第２方向側の面に取り付けられていることを特徴とする請求項１記載のカードリーダ。
【請求項３】
前記静電容量センサは、前記第１ガイド部材の第１方向側の面に取り付けられていることを特徴とする請求項１または２記載のカードリーダ。
【請求項４】
前記カード通過路での前記カードの通過方向と前記カードの厚さ方向とに直交する方向を前記カードの幅方向とすると、
前記静電容量センサは、前記カードの幅方向において前記磁気ストライプが通過する位置に配置されていることを特徴とする請求項１から３のいずれかに記載のカードリーダ。
【請求項５】
前記静電容量センサの色は、前記第１ガイド部材の色と同じであることを特徴とする請求項１から４のいずれかに記載のカードリーダ。
【請求項６】
前記カード通過路での前記カードの通過方向と前記カードの厚さ方向とに直交する方向を前記カードの幅方向とすると、
前記静電容量センサは、長方形状の薄板状に形成される検知部を備え、
前記検知部は、一対の電極を備えるとともに、前記検知部の厚さ方向と前記カードの厚さ方向とが一致し、かつ、前記検知部の長辺の方向と前記カードの通過方向とが一致するように配置され、
一対の前記電極は、前記カードの幅方向において所定の間隔をあけた状態で配置されていることを特徴とする請求項１から５のいずれかに記載のカードリーダ。
【請求項７】
前記電極は、前記カードの幅方向の一方側へ突出するとともに前記カードの通過方向において一定のピッチで配置される複数の凸部と、前記凸部の間に形成される複数の凹部とを備える櫛歯状に形成され、
一対の前記電極のうちの一方の前記電極の前記凹部の中に他方の前記電極の前記凸部が入り込むとともに、他方の前記電極の前記凹部の中に一方の前記電極の前記凸部が入り込んでいることを特徴とする請求項６記載のカードリーダ。
【発明の詳細な説明】
【技術分野】
【０００１】
本発明は、カードに記録された磁気データの読取やカードへの磁気データの記録を行うカードリーダに関する。
【背景技術】
【０００２】
従来、カードに記録された磁気データの読取やカードへの磁気データの記録を行うカードリーダが広く利用されている。カードリーダが利用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。そこで、カード挿入部の前面側にスキミング用の磁気ヘッド（以下、「スキミング用磁気ヘッド」とする。）が取り付けられたことを検知するための金属センサを備えるカードリーダが提案されている（たとえば、特許文献１参照）。
【０００３】
特許文献１に記載のカードリーダでは、金属センサは、中空状に形成されるカード挿入部の内部に配置されている。また、金属センサは、磁性材料で形成されるコアと、コアに巻回される一対の励磁用コイルおよび検出用コイルとを備えている。このカードリーダでは、金属センサによって金属材料を含む異物が検知されると、所定の異常処理が実行されており、カード挿入部の前面側に取り付けられたスキミング用磁気ヘッドによる磁気データの読取を阻止することが可能となっている。
【先行技術文献】
【特許文献】
【０００４】
【特許文献１】特開２０１３−３７５５５号公報
【発明の概要】
【発明が解決しようとする課題】
【０００５】
犯罪者によるスキミングの手口は年々巧妙化しており、従来取り付けられることのなかったカードリーダの内部に、カードの磁気データを読み取るためのスキミング用磁気ヘッド等のスキミング用の装置（以下、「スキミング用装置」とする。）が取り付けられるといった事態が生じている。特許文献１に記載のカードリーダでは、カード挿入部の前面側に取り付けられたスキミング用装置を金属センサによって検知することは可能であるが、カードリーダの内部に取り付けられたスキミング用装置を金属センサによって検知することはできない。そのため、このカードリーダでは、カードリーダの内部にスキミング用装置が取り付けられると、スキミング用装置による磁気データの読取を阻止することはできない。
【０００６】
そこで、本発明の課題は、カードリーダの内部にスキミング用装置が取り付けられたことを検知することが可能なカードリーダを提供することにある。
【課題を解決するための手段】
【０００７】
上記の課題を解決するため、本発明のカードリーダは、カードの挿入口から挿入されたカードが通過するカード通過路と、カード通過路を閉鎖するためのシャッタ部材と、シャッタ部材よりも奥側に配置されカードの磁気ストライプに記録された磁気データの読取および磁気ストライプへの磁気データの記録の少なくともいずれか一方を行う磁気ヘッドと、シャッタ部材よりも奥側に配置される静電容量センサとを備えるとともに、カード通過路を通過するカードの厚さ方向の一方を第１方向とし、第１方向の反対方向を第２方向とすると、カード通過路の第１方向側の面の少なくとも一部を構成する第１ガイド部材と、カード通過路の第２方向側の面の少なくとも一部を構成する第２ガイド部材とを備え、第１ガイド部材は、絶縁性材料で形成され、第２ガイド部材は、導電性材料で形成され、静電容量センサは、第１ガイド部材に取り付けられていることを特徴とする。
【０００８】
本発明のカードリーダでは、静電容量センサが、シャッタ部材よりも奥側に配置されている。そのため、本発明では、シャッタ部材よりも奥側に配置される静電容量センサでの検知結果に基づいて、カードリーダの内部にスキミング用装置が取り付けられたことを検知することが可能になる。したがって、本発明では、カードリーダの内部にスキミング用装置が取り付けられたことが検知されたときに、所定の異常処理を実行することで、スキミング用装置による磁気データの読取を阻止することが可能になる。
【０００９】
また、本発明では、静電容量センサが取り付けられる第１ガイド部材が絶縁性材料で形成されているため、静電容量センサと第１ガイド部材との電気的な結合を防止して、第１ガイド部材の全体が静電容量型のセンサとして機能するのを防止することが可能になる。したがって、本発明では、静電容量センサでの検知結果に基づいて、カードリーダの内部にスキミング用装置が取り付けられたことを適切に検知することが可能になる。
【００１０】
さらに、本発明では、カードが、第１ガイド部材や第２ガイド部材と接触しながらカード通過路を通過するため、カードリーダの内部が帯電状態となるおそれがあるが、第２ガイド部材が導電性材料で形成されているため、カードがカード通過路を通過する際に第１ガイド部材や第２ガイド部材が帯びる電気を、第２ガイド部材を介して逃がすことが可能になる。したがって、本発明では、カードリーダの内部での静電気の発生を防止することが可能になる。
【００１１】
本発明において、カードリーダは、たとえば、カードに形成されるＩＣチップの外部接続端子に接触してデータの通信を行う複数のＩＣ接点バネを有するＩＣ接点ブロックと、ＩＣ接点ブロックを移動させるブロック移動機構とを備え、ブロック移動機構は、第２ガイド部材の第２方向側の面に取り付けられている。この場合には、ブロック移動機構が動作したときに静電容量センサがブロック移動機構の動作を検知するのを、導電性材料で形成された第２ガイド部材によって防止することが可能になる。したがって、ＩＣ接点ブロックを移動させるブロック移動機構をカードリーダが備えていても、カードリーダの内部にスキミング用装置が取り付けられたことを適切に検知することが可能になる。
【００１２】
本発明において、静電容量センサは、第１ガイド部材の第１方向側の面に取り付けられていることが好ましい。このように構成すると、カード通過路を通過するカードと静電容量センサとの接触を防止することが可能になる。
【００１３】
本発明において、カード通過路でのカードの通過方向とカードの厚さ方向とに直交する方向をカードの幅方向とすると、静電容量センサは、カードの幅方向において磁気ストライプが通過する位置に配置されていることが好ましい。このように構成すると、カードリーダの内部にスキミング用装置が取り付けられたことをより適切に検知することが可能になる。
【００１４】
本発明において、静電容量センサの色は、第１ガイド部材の色と同じであることが好ましい。このように構成すると、万が一、犯罪者によってカードリーダが分解されたとしても、第１ガイド部材に静電容量センサが取り付けられていることに犯罪者は気付きにくくなる。
【００１５】
本発明において、カード通過路でのカードの通過方向とカードの厚さ方向とに直交する方向をカードの幅方向とすると、静電容量センサは、長方形状の薄板状に形成される検知部を備え、検知部は、一対の電極を備えるとともに、検知部の厚さ方向とカードの厚さ方向とが一致し、かつ、検知部の長辺の方向とカードの通過方向とが一致するように配置され、一対の電極は、カードの幅方向において所定の間隔をあけた状態で配置されていることが好ましい。このように構成すると、カードの通過方向の比較的広い範囲において、カードリーダの内部にスキミング用装置が取り付けられたことを検知することが可能になる。
【００１６】
また、この場合には、電極は、カードの幅方向の一方側へ突出するとともにカードの通過方向において一定のピッチで配置される複数の凸部と、凸部の間に形成される複数の凹部とを備える櫛歯状に形成され、一対の電極のうちの一方の電極の凹部の中に他方の電極の凸部が入り込むとともに、他方の電極の凹部の中に一方の電極の凸部が入り込んでいることがより好ましい。このように構成すると、カードの通過方向の比較的広い範囲において、カードリーダの内部にスキミング用装置が取り付けられたことを検知することが可能になるとともに、カードの幅方向の比較的広い範囲において、カードリーダの内部にスキミング用装置が取り付けられたことを検知することが可能になる。
【発明の効果】
【００１７】
以上のように、本発明のカードリーダでは、カードリーダの内部にスキミング用装置が取り付けられたことを検知することが可能になる。
【図面の簡単な説明】
【００１８】
【図１】本発明の実施の形態にかかるカードリーダの概略構成を説明するための図であり、（Ａ）は平面図、（Ｂ）は側面図である。
【図２】図２は、図１に示す静電容量センサの構成を説明するための平面図である。
【発明を実施するための形態】
【００１９】
以下、図面を参照しながら、本発明の実施の形態を説明する。
【００２０】
（カードリーダの構成）
図１は、本発明の実施の形態にかかるカードリーダ１の概略構成を説明するための図であり、（Ａ）は平面図、（Ｂ）は側面図である。図２は、図１に示す静電容量センサ１２の構成を説明するための平面図である。
【００２１】
本形態のカードリーダ１は、カード２に記録された磁気データの読取およびカード２への磁気データの記録の少なくともいずれか一方を行うための装置であり、たとえば、ＡＴＭ（Ａｕｔｏｍａｔｅｄ  Ｔｅｌｌｅｒ  Ｍａｃｈｉｎｅ）等の上位装置に搭載されて使用される。カード２は、たとえば、厚さが０．７〜０．８ｍｍ程度の矩形状の塩化ビニール製のカードである。このカード２の裏面には、磁気データが記録される磁気ストライプ２ａが形成されている。また、カード２には、ＩＣチップが内蔵されており、カード２のおもて面には、ＩＣチップの外部接続端子２ｂが形成されている。
【００２２】
カードリーダ１は、カード２が挿入される挿入口３が形成されるカード挿入部４と、カード挿入部４が固定される本体部５とを備えている。カードリーダ１の内部には、挿入口３から挿入されたカード２が通過するカード通過路６が形成されている。また、カードリーダ１の内部には、カード２を搬送するための駆動ローラ（図示省略）およびパッドローラ（図示省略）が配置されており、カード通過路６では、挿入口３から挿入されたカード２が搬送される。
【００２３】
本形態では、図１等に示すＸ方向でカード２が搬送されて通過する。すなわち、Ｘ方向は、カード通過路６でのカード２の通過方向である。具体的には、Ｘ１方向にカード２が挿入され、Ｘ２方向にカード２が排出される。また、Ｘ方向に直交する図１等のＺ方向は、カード通過路６を通過するカード２の厚さ方向であり、Ｘ方向とＺ方向とに直交する図１等のＹ方向は、カード通過路６を通過するカード２の幅方向（短手幅方向）である。
【００２４】
以下の説明では、Ｘ方向を前後方向とし、Ｙ方向を左右方向とし、Ｚ方向を上下方向とする。また、前後方向のうちのＸ１方向側を「奥（後ろ）」側とし、その反対側であるＸ２方向側を「前」側とし、上下方向のうちのＺ１方向側を「上」側とし、その反対側であるＺ２方向側を「下」側とする。カード挿入部４は、本体部５の前端面に取り付けられている。本形態では、Ｚ２方向（下方向）は、カード２の厚さ方向の一方である第１方向となっており、Ｚ１方向（上方向）は、第１方向の反対方向である第２方向となっている。
【００２５】
また、カードリーダ１は、磁気ストライプ２ａに記録された磁気データの読取および磁気ストライプ２ａへの磁気データの記録の少なくともいずれか一方を行う磁気ヘッド７と、外部接続端子２ｂに接触してデータの通信を行う複数のＩＣ接点バネ８を有するＩＣ接点ブロック９と、ＩＣ接点ブロック９を移動させるブロック移動機構１０と、カード通過路６を閉鎖するためのシャッタ部材１１と、カード通過路６に異物が取り付けられたことを検知するための静電容量センサ１２とを備えている。なお、図１（Ａ）では、ＩＣ接点ブロック９およびブロック移動機構１０の図示を省略している。
【００２６】
さらに、カードリーダ１は、本体部５においてカード通過路６の下側の面（下面）を構成する第１ガイド部材としてのガイド部材１５と、本体部５においてカード通過路６の上側の面（上面）を構成する第２ガイド部材としてのガイド部材１６とを備えており、上下方向におけるガイド部材１５とガイド部材１６との間にカード通過路６が形成されている。
【００２７】
ガイド部材１５は、絶縁性材料（非導電性材料）で形成されている。具体的には、ガイド部材１５は、絶縁性を有する樹脂材料で形成されている。ガイド部材１５の色は黒色である。ガイド部材１５は、カード通過路６の下面の全体を構成する上面部１５ａを備えている。上面部１５ａは、前後方向に細長い略長方形の平板状に形成されている。また、ガイド部材１５は、上面部１５ａの前後左右の端面から下側に向かって立ち上がる側壁部１５ｂを備えている。なお、上面部１５ａは、カード通過路６の下面の一部を構成していても良い。
【００２８】
ガイド部材１６は、導電性材料で形成されている。具体的には、ガイド部材１６は、導電性フィラーが含有される導電性樹脂材料で形成されている。ガイド部材１６の色は、ガイド部材１５と同様に黒色である。ガイド部材１６は、カード通過路６の上面の全体を構成する下面部１６ａを備えている。下面部１６ａは、前後方向に細長い略長方形の平板状に形成されている。また、ガイド部材１６は、下面部１６ａの前後左右の端面から上側に向かって立ち上がる側壁部１６ｂを備えている。ガイド部材１６は、カードリーダ１の金属製のフレーム（図示省略）と電気的に結合しており、このフレームは接地されている。なお、下面部１６ａは、カード通過路６の上面の一部を構成していても良い。
【００２９】
シャッタ部材１１は、カード挿入部４の奥端側部分に配置されている。シャッタ部材１１には、図示を省略するシャッタ駆動機構が連結されており、シャッタ部材１１は、カード通過路６を閉鎖する閉鎖位置とカード通過路６から退避してカード通過路６を開放する開放位置との間で移動可能となっている。シャッタ駆動機構は、カード通過路６の上側に配置されている。また、開放位置にあるシャッタ部材１１は、カード通過路６の上側に配置されている。なお、シャッタ部材１１は、カード挿入部４と本体部５との境界部分に配置されても良い。
【００３０】
磁気ヘッド７は、本体部５の内部に配置されており、シャッタ部材１１よりも奥側に配置されている。この磁気ヘッド７は、磁気ヘッド７のギャップ部がカード通過路６に下側から臨むように、ガイド部材１５に取り付けられている。ガイド部材１５の上面部１５ａには、磁気ヘッド７の上端側部分が配置される開口部（図示省略）が上下方向で上面部１５ａを貫通するように形成されている。また、磁気ヘッド７は、左右方向において、挿入口３から挿入されたカード２の磁気ストライプ２ａが通過する位置に配置されている。
【００３１】
ＩＣ接点ブロック９およびブロック移動機構１０は、本体部５の内部に配置されており、シャッタ部材１１よりも奥側に配置されている。ＩＣ接点ブロック９は、ガイド部材１６に取り付けられている。ブロック移動機構１０も、ガイド部材１６に取り付けられている。具体的には、ブロック移動機構１０は、下面部１６ａの上面に取り付けられている。すなわち、ブロック移動機構１０は、ガイド部材１６の上側の面に取り付けられている。本形態では、ＩＣ接点ブロック９の前側にブロック移動機構１０が配置されている。
【００３２】
ブロック移動機構１０は、たとえば、駆動源であるソレノイドと、ソレノイドの動力をＩＣ接点ブロック９に伝達するリンク機構とを備えている。このブロック移動機構１０は、ＩＣ接点バネ８の下端部がカード通過路６の中に配置されてＩＣ接点バネ８がカード２の外部接続端子２ｂに接触可能になる位置と、ＩＣ接点バネ８がカード通過路６の上方へ退避する位置との間で、ＩＣ接点ブロック９を移動させる。ガイド部材１６の下面部１６ａには、ＩＣ接点バネ８が通過する開口部（図示省略）が上下方向で下面部１６ａを貫通するように形成されている。
【００３３】
静電容量センサ１２は、薄膜状のセンサであり、静電容量の変化に基づいて異物を検知する。この静電容量センサ１２は、本体部５の内部に配置されており、シャッタ部材１１よりも奥側に配置されている。本形態では、静電容量センサ１２は、前後方向において、磁気ヘッド７とシャッタ部材１１との間に配置されている。
【００３４】
静電容量センサ１２は、たとえば、長方形状の薄板状（シート状）に形成されている。この静電容量センサ１２は、ガイド部材１５に取り付けられている。具体的には、静電容量センサ１２は、静電容量センサ１２の厚さ方向と上下方向とが一致し、かつ、静電容量センサ１２の長辺の方向と前後方向とが一致するように上面部１５ａの下面に固定されている。すなわち、静電容量センサ１２は、ガイド部材１５の下側の面に取り付けられており、カード通過路６よりも下側に配置されている。また、静電容量センサ１２は、左右方向において、挿入口３から挿入されたカード２の磁気ストライプ２ａが通過する位置に配置されている。さらに、静電容量センサ１２は、ブロック移動機構１０の下方に配置されている。
【００３５】
静電容量センサ１２は、検知部１８（図３参照）と、検知部１８を覆う保護膜とを備えている。保護膜の色は黒色であり、静電容量センサ１２の色は黒色となっている。すなわち、静電容量センサ１２の色は、ガイド部材１５の色と同じになっている。検知部１８は、全体として、長方形状の薄板状に形成されており、検知部１８の厚さ方向と上下方向とが一致し、かつ、検知部１８の長辺の方向と前後方向とが一致するように配置されている。
【００３６】
検知部１８は、一対の電極２０と電極２０が実装される基板２１とを備えている。電極２０は、左右方向の一方側へ突出するとともに前後方向において一定のピッチで配置される複数の凸部２０ａと、凸部２０ａの間に形成される複数の凹部２０ｂとを備えている。すなわち、電極２０は櫛歯状に形成されている。一対の電極２０は、左右方向において所定の間隔をあけた状態で配置されている。また、一対の電極２０のうちの一方の電極２０の凹部２０ｂの中に他方の電極２０の凸部２０ａが入り込むとともに、他方の電極の凹部２０ｂの中に一方の電極２０の凸部２０ａが入り込んでいる。
【００３７】
静電容量センサ１２は、回路基板２５に実装されており、静電容量センサ１２の端子は、回路基板２５に直接、接続されている。回路基板２５は、ガラスエポキシ基板等のリジッド基板であり、ガイド部材１５の下面側に固定されている。また、回路基板２５は、静電容量センサ１２の下側に配置されている。回路基板２５には、静電容量センサ１２の出力信号を処理するＣＰＵが実装されており、回路基板２５は、静電容量センサ１２の出力信号に基づいてＣＰＵで生成されたデジタル信号を出力する。なお、静電容量センサ１２は、同軸ケーブルを介して回路基板２５に接続されても良い。
【００３８】
カードリーダ１にカード２が挿入される前のカードリーダ１の待機時における静電容量センサ１２の出力信号のレベルを待機信号レベルとすると、カードリーダ１の制御部は、たとえば、待機信号レベルを記憶するとともに、待機信号レベルに対する静電容量センサ１２の出力信号のレベルの変化量が所定の閾値以上となる状態が所定時間以上続くと、カード通過路６にスキミング用装置等の異物が取り付けられたと判別する。たとえば、待機信号レベルに対する静電容量センサ１２の出力信号のレベルの変化量が所定の閾値以上となる状態が、カードリーダ１でのカード２の処理時間（具体的には、カードリーダ１における正常なカード２の正常な処理時間）よりも長く続くと、カードリーダ１の制御部は、カード通過路６にスキミング用装置等の異物が取り付けられたと判別する。
【００３９】
また、制御部は、カード通過路６に異物が取り付けられたと判別すると、上位装置に所定のアラームを通知する等の所定の異常処理を実行する。また、制御部は、カード通過路６に異物が取り付けられていないと判別しているときに、挿入口３にカード２が挿入されると、シャッタ駆動機構を駆動して、閉鎖位置にあるシャッタ部材１１を開放位置へ移動させる。
【００４０】
なお、挿入口３からカード２が挿入されてカード通過路６をカード２が通過すると、静電容量センサ１２がカード２を検知して、静電容量センサ１２の出力信号のレベルが変動する。この出力信号のレベルの変動量はほぼ一定であるため、待機信号レベルに対する静電容量センサ１２の出力信号のレベルの変化量と比較される上記の閾値は、静電容量センサ１２がカード２を検知したときの静電容量センサ１２の出力信号のレベルの変動量に基づいて、かつ、カード通過路６に異物が取り付けられたことを誤検知することがないように設定されている。
【００４１】
（本形態の主な効果）
以上説明したように、本形態では、静電容量センサ１２が、シャッタ部材１１よりも奥側に配置されるとともに、左右方向においてカード２の磁気ストライプ２ａが通過する位置に配置されている。そのため、本形態では、シャッタ部材１１よりも奥側に配置される静電容量センサ１２での検知結果に基づいて、カードリーダ１の内部（具体的には、本体部５の内部）にスキミング用装置が取り付けられたことを検知することが可能になる。また、本形態では、カードリーダ１の制御部は、本体部５の内部にスキミング用装置が取り付けられたことを検知すると、上位装置に所定のアラームを通知する等の所定の異常処理を実行する。したがって、本形態では、本体部５の内部にスキミング用装置が取り付けられても、スキミング用装置による磁気データの読取を阻止することが可能になる。
【００４２】
本形態では、静電容量センサ１２が取り付けられるガイド部材１５は、絶縁性材料で形成されている。そのため、本形態では、静電容量センサ１２とガイド部材１５との電気的な結合を防止して、ガイド部材１５の全体が静電容量型のセンサとして機能するのを防止することが可能になる。したがって、本形態では、静電容量センサ１２での検知結果に基づいて、本体部５の内部にスキミング用装置が取り付けられたことを適切に検知することが可能になる。
【００４３】
本形態では、カード２が、ガイド部材１５、１６と接触しながらカード通過路６を通過するため、カードリーダ１の内部が帯電状態となるおそれがあるが、本形態では、ガイド部材１６が導電性材料で形成されている。また、ガイド部材１６は、カードリーダ１の金属製のフレームと電気的に結合しており、このフレームは接地されている。そのため、本形態では、カード２がカード通過路６を通過する際にガイド部材１５、１６が帯びる電気を、ガイド部材１６を介して逃がすことが可能になる。したがって、本形態では、カードリーダ１の内部での静電気の発生を防止することが可能になる。
【００４４】
また、本形態では、静電容量センサ１２の上方にブロック移動機構１０が配置されているが、ブロック移動機構１０は、導電性材料で形成されるガイド部材１６の上側の面に取り付けられている。そのため、本形態では、ブロック移動機構１０が動作したときに静電容量センサ１２がブロック移動機構１０の動作を検知するのをガイド部材１６によって防止することが可能になる。したがって、本形態では、静電容量センサ１２の上方にブロック移動機構１０が配置されていても、本体部５の内部にスキミング用装置が取り付けられたことを適切に検知することが可能になる。
【００４５】
本形態では、静電容量センサ１２は、ガイド部材１５の下面に取り付けられている。そのため、本形態では、カード通過路６を通過するカード２と静電容量センサ１２との接触を防止することが可能になる。また、本形態では、静電容量センサ１２の色がガイド部材１５の色と同じになっているため、万が一、犯罪者によってカードリーダ１が分解されたとしても、ガイド部材１５に静電容量センサ１２が取り付けられていることに犯罪者は気付きにくくなる。
【００４６】
本形態では、長方形状の薄板状に形成される検知部１８が、検知部１８の厚さ方向と上下方向とが一致し、かつ、検知部１８の長辺の方向と前後方向とが一致するように配置されている。そのため、本形態では、前後方向の比較的広い範囲において、本体部５の内部にスキミング用装置が取り付けられたことを検知することが可能になる。また、本形態では、電極２０は、前後方向において一定のピッチで配置される複数の凸部２０ａと、凸部２０ａの間に形成される複数の凹部２０ｂとを備えており、一対の電極２０のうちの一方の電極２０の凹部２０ｂの中に他方の電極２０の凸部２０ａが入り込むとともに、他方の電極の凹部２０ｂの中に一方の電極２０の凸部２０ａが入り込んでいるため、左右方向の比較的広い範囲において、本体部５の内部にスキミング用装置が取り付けられたことを検知することが可能になる。
【００４７】
（他の実施の形態）
上述した形態は、本発明の好適な形態の一例ではあるが、これに限定されるものではなく本発明の要旨を変更しない範囲において種々変形実施が可能である。
【００４８】
上述した形態では、静電容量センサ１２は、磁気ヘッド７とシャッタ部材１１との間に配置されているが、静電容量センサ１２は、磁気ヘッド７より奥側に配置されても良い。また、上述した形態では、静電容量センサ１２は、ガイド部材１５の上面部１５ａの下面に取り付けられているが、カード通過路６でのカード２の移動に支障が生じないのであれば、静電容量センサ１２は、上面部１５ａの上面に取り付けられても良い。また、上述した形態において、カード通過路６でのカード２の移動に支障が生じないのであれば、カード通過路６に静電容量センサ１２が露出するように、上下方向に貫通する開口部が上面部１５ａに形成されても良い。
【００４９】
上述した形態において、カード２にＩＣチップが内蔵されていない場合には、カードリーダ１は、ＩＣ接点ブロック９およびブロック移動機構１０を備えていなくても良い。この場合、静電容量センサ１２は、ガイド部材１６の下面部１６ａに取り付けられても良い。静電容量センサ１２が下面部１６ａに取り付けられる場合には、ガイド部材１６は、絶縁性材料で形成され、ガイド部材１５は、導電性材料で形成される。この場合のガイド部材１６は、第１ガイド部材であり、ガイド部材１５は、第２ガイド部材である。
【００５０】
上述した形態では、静電容量センサ１２の色は黒色であるが、静電容量センサ１２の色は黒色以外の色であっても良い。また、上述した形態では、電極２０に、複数の凸部２０ａと凹部２０ｂとが形成されているが、電極２０に凸部２０ａと凹部２０ｂとが形成されていなくても良い。すなわち、電極２０は、前後方向に細長い長方形状に形成されていても良い。また、上述した形態では、カード２は、厚さが０．７〜０．８ｍｍ程度の矩形状の塩化ビニール製のカードであるが、カード２は、厚さが０．１８〜０．３６ｍｍ程度のＰＥＴ（ポリエチレンテレフタレート）カードであっても良いし、所定の厚さの紙カード等であっても良い。
【００５１】
上述した形態では、カードリーダ１は、駆動ローラおよびパッドローラを備えるカード搬送式のカードリーダであるが、本発明の構成が適用されるカードリーダは、ユーザが手動でカード２を移動させながら、磁気データの読取や記録を行う手動式のカードリーダであっても良い。たとえば、本発明の構成が適用されるカードリーダは、カードリーダ内へカード２を差し込む際、あるいは、カードリーダからカード２を引き抜く際に磁気データの読取や記録を行ういわゆるディップ式のカードリーダであっても良い。
【符号の説明】
【００５２】
１  カードリーダ
２  カード
２ａ  磁気ストライプ
２ｂ  外部接続端子
３  挿入口
６  カード通過路
７  磁気ヘッド
８  ＩＣ接点バネ
９  ＩＣ接点ブロック
１０  ブロック移動機構
１１  シャッタ部材
１２  静電容量センサ
１５  ガイド部材（第１ガイド部材）
１６  ガイド部材（第２ガイド部材）
１８  検知部
２０  電極
２０ａ  凸部
２０ｂ  凹部
Ｘ  カードの通過方向
Ｙ  カードの幅方向
Ｚ  カードの厚さ方向
Ｚ１  第２方向
Ｚ２  第１方向
【図１】
2017219971.tif 000003
【図２】
2017219971.tif 000004